(57)【要約】【課題】  本考案はワンタッチで使用、収納が可能な、収納後の形状がコンパクトで、さらに耳に掛けた際の違和感のない、安価に製造できる、ケース付折りたたみ式眼鏡を提供する。【解決手段】  リムに囲まれた左右のレンズからなるフロントの中央に蝶番を設け、前記フロントの両端に蝶番により回動可能に接続されたテンプルを設け、前記フロントの両端部及び、前記テンプル後部に磁石を設ける。フロント中央部の蝶番部分及び、フロント両端部に設けた蝶番部分にはそれぞれコイルスプリングを設け、それぞれのテンプルの内幅はフロントの半分、リムを含むレンズ一枚分が含まれる形状にする。【選択図】図１
0003138469.tif 000002
【実用新案登録請求の範囲】
【請求項１】
リムに囲まれた左右のレンズからなるフロントの中央に蝶番を設け、前記フロントの両端に蝶番により回動可能に接続されたテンプルを設け、前記フロントの両端部及び、前記テンプルの後部に磁石を設けたことを特徴とする折りたたみ式眼鏡
【請求項２】
フロントの中央に設けられた蝶番部分及び、前記フロントの両端に設けられた蝶番部分には、それぞれスプリングを設けたことを特徴とする請求項１の折りたたみ式眼鏡
【請求項３】
フロントの両端に蝶番により回動可能に接続されたテンプルの内幅は、フロントの半分、リムを含むレンズ１枚分が含まれる形状であることを特徴とする請求項１、請求項２の折りたたみ式眼鏡
【考案の詳細な説明】
【技術分野】
【０００１】  ワンタッチで使用、収納が可能で、収納形状がコンパクトな、折りたたみ式眼鏡を提供する。
【背景技術】
【０００２】  従来眼鏡は、常時掛けている人以外は、レンズの傷つき防止のためにケースに入れて携帯、保管する場合が多い。そのため急に何かを見たい時はケースから取り出して使用することになる。その後ケースをどこに置いたか忘れたり、そのまま場所を移動した場合ケースを置き忘れることも多い。また市販の眼鏡ケースはボケットに入れた場合かさばる形状をしている。このことを考慮した発明が、文献１及び文献２に開示されている。  文献１の先行技術は、左右のレンズを含むフロントを、フロントの両端に接続した幅広のテンプルでフロントを前後から包み込む構成になっている。  文献２の先行技術は、左右のレンズの間にユニバーサルジョイントを設け、左右のレンズの外側と接続するテンプル先端間にもユニバーサルジョイントを設け、左右の幅広のテンプルでフロントを前後から包み込む構成である。
【文献１】
特開平０９−１４６０４９    眼鏡
【文献２】
特開２００３−１９５２２５    ケース無し眼鏡
【考案の開示】
【考案が解決しようとする課題】
【０００３】  上記文献１に開示されている先行技術は、左右の幅広のテンプルが左右のレンズを含むフロントを前後から包み込む構成になっており、レンズ端末とテンプルはボールジョイントで接続され、一方側のテンプルは１８０度回転させて使用状態になる。テンプルの形状は略長円状で、フロントを包む長さ、幅が必要になり、使用する際耳に掛けた場合違和感が発生する可能性がある。  また、文献２に開示された先行技術は左右のレンズ間に反転軸部（ユニバーサルジョイント）を設け、収納時はレンズを１８０度回転してレンズの上下を逆方向に向けて左右のテンプルで挟んで収納する発明と、一枚で左右のレンズを兼ねたフロントを、このフロントの両端と反転軸部（ユニバーサルジョイント）で接続した左右の幅広のテンプルで、前後から包み込む発明が開示されているが、この先行技術も両方のレンズの幅を収納するテンプルの長さ及び、幅が必要になる。このため耳に掛けた際の違和感は発生する可能性がある。また、先行技術１及び、先行技術２はそれぞれレンズ面を前後から包み込むため、ユニバーサルジョイント等を使う必要があり高価になる。本考案は、このような従来の構成が有していた問題を解決しようとするものであり、ワンタッチで使用、収納が可能で、収納形状がコンパクトな、使用時に違和感が発生しない、折りたたみ式眼鏡を提供することである。
【課題を解決するための手段】
【０００４】  本考案は、上記目的を達成するために、リムに囲まれた左右のレンズからなるフロントの中央に蝶番を設け、フロントの両端に蝶番により回動可能に接続されたテンプルを設け、前記フロントの両端部及び、前記テンプルの後部に磁石を設ける。フロント中央部の蝶番部分及び、フロント両端に設けられた蝶番部分には、それぞれスプリングを設け、テンプルの内幅はフロントの半分、すなわちリムを含むレンズ一枚分が含まれる形状にする。
【考案の効果】
【０００５】  この考案の効果として下記の７項目が挙げられる。１．ワンタッチで使用、収納が可能である。２．テンプルがケースを兼ねているので、ケースが不要である。３．収納後の形状がコンパクトでスマートである。４．ポケットに入れてもかさばらない。５．収納時テンプルがレンズをカバーしているため落下時等にレンズの傷つき防止ができる。６．モダン部が耳に合う形状であるため、使用時に違和感が発生しない。７．安価に製作が可能である。
【考案を実施するための最良の形態】
【０００６】  以下、本考案の実施の形態について、図１〜図９に基き、実施例及び使用法について説明する。
【実施例】
【０００７】  図１に示すように、リム３，３’で囲まれた左右のレンズ４，４’を、フロント２の中央に蝶番構造５を設けて回動可能に接続する。図４のように一方側のリム３に設けられた突出部６と、他方側のリム３’に設けられた突出部７を組み合わせ、中間部の隙間８にコイルスプリング（Ｉ）９を設け、それぞれの突出部６，７に設けられた貫通孔１７に上から金属製の頭付きピン１０を通し、下端でカシメる。リム３，３’は金属、プラスチック等の素材で加工する。【０００８】  レンズ４，４’収納時、レンズ４，４’は図３に示すように、Ｂ方向に向かうが、コイルスプリング（１）９の作用で使用状態であるＡ方向に向かうの力を作用させるように、ばね仕様を設定する。【０００９】  フロント２の両端部には、フロント２の中央部分と同様の蝶番構造１２，１２’を設け、テンプル１１，１１’を図５のように回動可能に接続する。蝶番構造１２，１２’の中間部の隙間１３，１３’にコイルスプリング（ＩＩ）１４を設ける。レンズ４，４’収納時、レンズ４，４’は図３のＣ方向、テンプル１１，１１’に近づくように動くが、このコイルスプリング（ＩＩ）１４’の仕様を、使用状態のＡ方向の力を発生させるように設定する。フロント２の前面両端部に図４、図９に示すように孔を明け磁石１６を埋め込み固定する。【００１０】  テンプル１１，１１’は図６の内面視のように、先端には蝶番構造１２，１２’の一報側が設けられており、先端から略２／３の長さまでは図７に示すようなコ字状断面で、この内幅は、リム付のレンズ４，４’が収納できる寸法にする。略２／３の長さから後端までは、使用時耳に掛けやすい形状のモダン１５，１５’を製作し、前記コ字状断面に挿入して接着固定する。【００１１】  モダン１５，１５’の前部内側に穴を明け、図８のように磁石１６を埋め込み固定する。該磁石の磁力は、収納時、コイルスプリング（Ｉ）９，（ＩＩ）１４の反発力を上回る設定をする。【００１２】  テンプル１１，１１’の前部は金属あるいは、プラスチック素材で図７のような形状に加工し、テンプル１１，１１’後部のモダン１５，１５’はプラスチックの一体物で加工する。モダン１５，１５’をテンプル１１，１１’に挿入固定した後、同一色の塗装等の表面処理を行い、見栄えを良くする。またモダン１５，１５’はテンプル１１，１１’と同材質で一体加工でもよい。フロント２の両端部に埋め込んだ磁石１６も、リム３，３’と同一色の塗装等の表面処理を行い見栄えを良くする。【００１３】  上記実施例では、リム付きレンズの場合を説明したが、それぞれのレンズ４，４’の両端部分に直接蝶番構造５，１２，１２’を設け、同様の構成をとれば、この考案が実施できることは当然である。【００１４】  次に本考案の使用方法について説明する。収納時の形状は図２のような略直方体である。使用する時は、左右のモダン１５，１５’の磁石１６の付いている部分を両手で外に開くと、フロント２の両端部に埋め込んだ磁石１６、リム３，３’とテンプル１１，１１’を回動可能に接続している蝶番構造１２，１２’のコイルスプリング（ＩＩ）１４及び、フロント２の中央の蝶番構造５のコイルスプリング（Ｉ）９がすべて開放されて、それぞれ左右��レンズ４，４’を、図３のＡ方向に向かわせるように作用し、使用状態になる。【００１５】  眼鏡を収納する時は、テンプル１１，１１’のほぼ中央部を持って、コイルスプリング（Ｉ）９，（ＩＩ）１４の開こうとする力を越える力で内側に押して、図３の途中状態を経て、フロント２の両端部に埋め込まれた磁石１６及び、左右のモダン１５，１５’内側に設けられた磁石１６を接合させれば収納完了である。
【図面の簡単な説明】
【００１６】
【図１】本考案使用状態斜視図
【図２】本考案収納状態斜視図
【図３】本考案開閉途中状態平面図
【図４】本考案使用状態正面図
【図５】本考案使用状態背面図
【図６】テンプル内面視図
【図７】図６テンプル内面視Ｄ-Ｄ断面矢視図
【図８】図６テンプル内面視Ｅ-Ｅ断面矢視図
【図９】図４フロントＦ-Ｆ断面矢視図
【符号の説明】
【００１７】  １            本考案の折りたたみ式眼鏡  ２            フロント  ３、３’      リム  ４、４’      レンズ  ５            蝶番構造（Ｉ）  ６            リム突出部（Ｉ）  ７            リム突出部（ＩＩ）  ８            中間部隙間（Ｉ）  ９            コイルスプリング（Ｉ）  １０          頭付きピン  １１、１１’  テンプル  １２、１２’  蝶番構造ＩＩ  １３、１３’  中間部隙間ＩＩ  １４          コイルスプリング（ＩＩ）  １５、１５’  モダン  １６          磁石  １７          貫通孔
【図１】
0003138469.tif 000003
【図２】
0003138469.tif 000004
【図３】
0003138469.tif 000005
【図４】
0003138469.tif 000006
【図５】
0003138469.tif 000007
【図６】
0003138469.tif 000008
【図７】
0003138469.tif 000009
【図８】
0003138469.tif 000010
【図９】
0003138469.tif 000011